【事件の表示】
　特許第３０６７６３８号「埋込み座金一体型ナット」の請求項１、２に係る特許に対する特許異議の申立てについて、次のとおり決定する。
【結　論】
　訂正を認める。
　特許第３０６７６３８号の請求項１に係る特許を維持する。
【理　由】
Ｉ．手続きの経緯
　本件特許３０６７６３８号の請求項１に係る発明についての出願は、平成８年４月３日に特許出願がなされたものであって、平成１２年５月１９日に、その発明について特許権の設定登録がされ、その特許について、平成１２年１２月１５日に特許異議申立人・中村道夫（以下、「申立人」という。）により特許異議の申立てがなされ、取消しの理由が通知され、その指定期間内である平成１３年５月２５日に訂正請求がなされたものである。
    　
II．訂正の適否
１．訂正の内容
　特許権者が求めている訂正の内容は以下１）乃至４）のとおりである。
１）訂正事項ａ
　特許第３０６７６３８号の願書に添付された明細書（以下、「特許明細書」という。）の特許請求の範囲を、
「【請求項１】皿状の座金部と筒状のナット部とが一体に形成され、径方向の略中央にネジ溝を有するボルト挿通孔が設けられ、座金部の底壁外側に切刃を有し、座金部のボルト挿通孔の上端側に多角形状の周囲壁が設けられ、該周囲壁と座金の径方向端部との間に工具が嵌合可能な空隙が形成されていることを特徴とする埋込み座金一体型ナット。
【請求項２】周囲壁上端と座金部の周縁上端とが略同じ高さに形成されている請求項１記載の埋込み座金一体型ナット。」から、
「【請求項１】皿状の座金部と筒状のナット部とが一体に形成され、径方向の略中央にネジ溝を有するボルト挿通孔が設けられ、座金部の底壁外側に切刃を有し、座金部のボルト挿通孔の上端側に多角形状の周囲壁が設けられ、該周囲壁と座金の径方向端部との間に工具が嵌合可能な空隙が形成され、周囲壁上端と座金部の周縁上端とが略同じ高さに形成されていることを特徴とする埋込み座金一体型ナット。」と訂正する。
２）訂正事項ｂ
　特許明細書の段落【００１２】を、
「【００１２】【課題を解決するための手段】本発明は、（１）皿状の座金部と筒状のナット部とが一体に形成され、径方向の略中央にネジ溝を有するボルト挿通孔が設けられ、座金部の底壁外側に切刃を有し、座金部のボルト挿通孔の上端側に多角形状の周囲壁が設けられ、該周囲壁と座金の径方向端部との間に工具が嵌合可能な空隙が形成されていることを特徴とする埋込み座金一体型ナット、（２）周囲壁上端と座金部の周縁上端とが略同じ高さに形成されている上記（１）記載の埋込み座金一体型ナットを要旨とするものである。」から、
「【００１２】【課題を解決するための手段】本発明は、（１）皿状の座金部と筒状のナット部とが一体に形成され、径方向の略中央にネジ溝を有するボルト挿通孔が設けられ、座金部の底壁外側に切刃を有し、座金部のボルト挿通孔の上端側に多角形状の周囲壁が設けられ、該周囲壁と座金の径方向端部との間に工具が嵌合可能な空隙が形成され、周囲壁上端と座金部の周縁上端とが略同じ高さに形成されていることを特徴とする埋込み座金一体型ナットを要旨とするものである。」と訂正する。
３）訂正事項ｃ
　特許明細書の段落番号【００１５】を、
「【００１５】また、本発明ナットは、座金部２の上面は、座金部２の周縁８上端の高さが、上記周囲壁５の上端の高さと同じ高さとなるように形成するのが好ましい。また同図２に示す例では空隙６が形成されているが、この凹溝の深さと幅は、ボックスレンチ等の工具が嵌合可能な大きさであればよい。また、図７は本発明のナットの他の例を示す断面図であるが、座金部２の上面は同図に示すように必ずしも周囲壁５と座金端部とを面一にせずに、周囲壁５のみが上方に突出するようにし該周囲壁の外方の周縁８までを平坦に形成しても、又、周囲壁よりも座金端部が高くなるようにしてもよいが、図２に示すように面一又は略面一に形成するのが好ましい。本発明ナットは、周囲壁と座金端部とを略同じ高さに形成した場合、該ナットの座金部の端部が完全に埋め込まれた時点で表面が略平らになるため埋込みを容易かつ確実に行うことができる。」から、
「【００１５】また、本発明ナットは、座金部２の上面は、座金部２の周縁８上端の高さが、上記周囲壁５の上端の高さと略同じ高さとなるように形成して、座金部２の上面は周囲壁５と座金端部とが、図２に示すように面一又は略面一になるように形成される。また同図２に示す例では空隙６が形成されているが、この凹溝の深さと幅は、ボックスレンチ等の工具が嵌合可能な大きさであればよい。本発明ナットは、周囲壁と座金端部とを略同じ高さに形成した場合、該ナットの座金部の端部が完全に埋め込まれた時点で表面が略平らになるため埋込みを容易かつ確実に行うことができる。」と訂正する。
４）訂正事項ｄ
　特許明細書の図面の簡単な説明の【図７】を、
「【図７】本発明の埋込み座金一体型ナットの他の例を示す断面図である。」から、
「【図７】埋込み座金一体型ナットの参考例を示す断面図である。」と訂正する。
　
２．訂正の目的の適否、新規事項の有無及び拡張・変更の存否
　訂正事項ａは、特許請求の範囲の請求項１を削除し、請求項２を請求項１に繰り上げることを求めるものである。したがって、この訂正事項ａは、特許請求の範囲の減縮を目的とする訂正であるとともに、願書に添付した明細書又は図面に記載した事項の範囲内であり、実質上特許請求の範囲を拡張し又は変更するものでもない。
　訂正事項ｂ〜ｄは、請求項１に関する訂正事項ａと、それに対応する発明の詳細な説明の欄の段落番号【００１２】及び【００１５】の記載、及び図面の簡単な説明の【図７】の記載との間に整合性を持たせようとしたものである。このような整合性を持たせる訂正を行わなければ、不明りょうな記載になってしまうところを改めたものである。したがって、この訂正事項ｂ〜ｄは、明りょうでない記載の釈明を目的とする訂正であるとともに、願書に添付した明細書又は図面に記載した事項の範囲内であり、実質上特許請求の範囲を拡張し又は変更するものでもない。
３．訂正の適否についてのむすび
　以上のとおり、本件訂正は、特許法第１２０条の４第２項ただし書、同条第３項において準用する同法第１２６条第２項及び第３項の規定に適合するので、当該訂正を認める。　
    　
III．特許異議の申立てについての判断
１．特許異議の申立ての理由の概要                
　特許異議申立人は、甲第１号証（実公平８−１０７０１号公報）及び甲第２号証（実願平３−６５９１１号（実開平５−１０６００号）のＣＤ−ＲＯＭ）を提出し、本件特許の訂正前の請求項１及び２に係る発明は、甲第１号証及び甲第２号証に記載された発明に基いて当業者が容易になし得た発明であるから、特許法第２９条第２項の規定に該当し特許を受けることができないものであると主張している。
　なお、申立人は、本件特許の訂正前の請求項２に係る発明の特許が、その発明の効果の記載が不明りょうであり、特許法第３６条第４項又は第６項に規定する要件を満たしていない特許出願に対してなされたものであると主張している（異議申立書第４頁第２５〜２９行参照）。
　
２．本件発明
　前述のとおり、本件訂正が認められたことにより、本件特許第３０６７６３８号の請求項１に係る発明（以下、「本件発明」という。）は、訂正明細書及び図面の記載からみて、その特許請求の範囲の請求項１に記載されたとおりのものである。
【請求項１】
　皿状の座金部と筒状のナット部とが一体に形成され、径方向の略中央にネジ溝を有するボルト挿通孔が設けられ、座金部の底壁外側に切刃を有し、座金部のボルト挿通孔の上端側に多角形状の周囲壁が設けられ、該周囲壁と座金の径方向端部との間に工具が嵌合可能な空隙が形成され、周囲壁上端と座金部の周縁上端とが略同じ高さに形成されていることを特徴とする埋込み座金一体型ナット。
　
３．通知した取消しの理由に引用した刊行物に記載された発明
(１)刊行物１：実公平８−０７０１号公報（甲第１号証）
(２)刊行物２：実用新案登録第３４３３８３号公報
(３)刊行物３：昭和１８年実用新案出願公告第５６１６号公報（公告日：昭和１８年５月２５日）
(４)刊行物４：実願昭５６−２５５８３号（実開昭５７−１３９７０号）のマイクロフィルム
（刊行物１）
　刊行物１には、
(イ)「上面中央に環状凹部を穿設するとともに当該凹部の底面に多角形孔を穿った座金の皿状底壁面に、その外周縁部を残して座金の中心部より等距離にして且つ径方向の切り歯を突設し、然して上記環状凹部の底面に穿たれた多角形孔に、上端面に多角形状凹部を穿ち且つ当該凹部の下部に螺糸を刻した角筒状ナットを挿通し、かかる角筒状ナットの上端環状鍔部を座金の環状凹部内に嵌着してなることを特徴とする筒状ナット付き埋込み座金。」（実用新案登録請求の範囲）、
(ロ)「〔産業上の利用分野〕本考案は、建築において二部材以上を螺杆とナット等の締め付け金具で結合する際に、被結合部材の上面を面一状態で結合するに好適な筒状ナット付き埋込み座金に関するものである。」（第１頁第１欄第１２行〜同頁第２欄第１行）、
(ハ)「〔作用効果〕本考案は以上のように構成したので、土台に穿たれた挿通孔に基部を布基礎中に埋設したアンカーボルトを挿通させて布基礎上に土台を載置して上記アンカーボルトの上端に角筒状ナットを螺合した後、かかるナットの上端面に穿設された多角形状凹部にレンチ等を嵌合せしめて角筒状ナットを正方向に回動すると、これに伴って座金も回動するので、当該座金の皿状底壁にその周縁を残して突設した切り歯が土台に穿設された挿通孔の上部を切削し、従って座金は土台の上面に安定した面一状態で埋設される。」（第２頁第３欄第１３〜２３行）、
(ニ)「〔実施例〕以下、本考案の実施例を図面に基づき説明する。図示する本考案の実施例は、上面中央部に浅い環状凹部１を穿設するとともに当該凹部１の底面に六角形の孔２を穿った座金３の皿状底壁面４に、その外周縁部Ｆを残して座金３の中心部より等距離にして且つ径方向の切り歯５を突設して、然して上記環状凹部１の底面に穿たれた六角形の孔２に、上端面に六角形状の凹部６を穿ち且つ当該凹部６の下部に螺糸Ｎを刻した六角筒状ナット７を挿通し、かかる六角筒状ナット７の上端環状鍔部８を座金３の環状凹部１内に嵌着してなるものである。尚、図面中９は布基礎、１０は土台、１１はアンカーボルトを示している。」（第２頁第４欄第５〜１７行）と記載されている。
　したがって、刊行物１には下記の発明（以下、「引用発明」という。）が記載されているものと認められる。
【引用発明】
　皿状の座金３に角筒状のナット７が挿通され、該ナット７の径方向の略中央に螺糸Ｎを有するアンカーボルト１１挿通孔が設けられ、該座金３の底壁外側に切り歯５を有し、該ナット７のアンカーボルト１１挿通孔の上部側に多角形状の凹部６が設けられ、該凹部６と座金３の上部中央に設けられた環状凹部１とにより工具が嵌合可能な空隙が形成され、該ナット７に形成された上端環状鍔部８の上端が座金３の周縁上端よりも低く形成されている筒状ナット付き埋込み座金。
　
４．対比・判断
【請求項１】について
　本件発明と引用発明とを対比すると、それぞれの有する機能に照らして、引用発明の「座金３」は本件発明の「座金部」に、以下同様に、「ナット７」は「ナット部」、「螺糸Ｎ」は「ネジ溝」、「アンカーボルト１１」は「ボルト」、「切り歯５」は「切刃」にそれぞれ相当するので、両者の一致点及び相違点は以下のとおりである。
＜一致点＞
　皿状の座金部と筒状のナット部とからなり、ナット部の径方向の略中央にネジ溝を有するボルト挿通孔が設けられ、座金部の底壁外側に切刃を有し、ナット部の上部側に多角形状部分が設けられ、該多角形状部分と座金の上部側に設けられた環状部分との間に工具が嵌合可能な空隙が形成されている埋込み座金及びナット。
＜相違点＞
（１）本件発明は、「皿状の座金部と筒状のナット部とが一体に形成され」ているのに対し、引用発明は、皿状の座金部と角筒状のナット部とは別体であり座金部にナット部が挿通されている点。
（２）本件発明は、「座金部のボルト挿通孔の上端側に多角形状の周囲壁が設けられ、該周囲壁と座金の径方向端部との間に工具が嵌合可能な空隙が形成されている」のに対し、引用発明は、ナット部のボルト挿通孔の上部側に多角形状の凹部が設けられ、該凹部と座金の上部中央に設けられた環状凹部とにより工具が嵌合可能な空隙が形成されている点。
（３）本件発明は、「周囲壁上端と座金部の周縁上端とが略同じ高さに形成されている」のに対し、引用発明は、ナット部に形成された上端環状鍔部の上端が座金部の周縁上端よりも低く形成されている点。
　上記相違点について検討する。
１）相違点（１）について
　ナットと座金を一体化して座金一体型ナットとすることは、当業者が普通に採用する設計的事項に過ぎない（例えば、刊行物２、３等を参照）。
２）相違点（２）について
　ナットによりボルトを締める場合に、ナットの外側から締めることは、ナット一般においてよく行われていることである（例えば、刊行物２〜４等の記載を参照）。
　そして、ナットを外側から回してボルトを締めれば、ボルト挿通孔を利用して内側から締めるよりも、ボルトとナットが噛み合うネジの部分を長くすることにより締め付け力を増大させることが出来るので、このような構成を採用して、上記相違点（２）に係る本件発明の構成とすることは、当業者が技術的に格別の困難性を有することなく容易に想到し得たものである。
３）相違点（３）について
　上記相違点（３）に係る本件発明の「周囲壁上端と座金部の周縁上端とが略同じ高さに形成されている」の構成は、刊行物２〜４のいずれにも記載も示唆もされていないと共に、甲第２号証にも記載も示唆もされていない。
　そして、本件発明は、この点の構成により、「本発明ナットは、周囲壁と座金端部とを略同じ高さに形成した場合、該ナットの座金部の端部が完全に埋め込まれた時点で表面が略平らになるため埋込みを容易かつ確実に行うことができる。」（段落【００１５】）という明細書記載の格別の作用効果を奏するものと認められる。
　なお、申立人は、上述のように、本件特許の訂正前の請求項２に係る発明の特許が、その発明の効果の記載が不明りょうであり、特許法第３６条第４項又は第６項に規定する要件を満たしていない特許出願に対してなされたものであると主張している。しかしながら、訂正前の請求項２に係る発明に対応する上記相違点（３）についての効果は、明細書及び図面の記載から理解できるものであり、その点で明細書及び図面の記載に不備があったものとすることはできず、申立人の主張は採用することができない。
　結局、本件発明は、上記相違点（３）に係る本件発明の構成が、上記刊行物１〜４、及び甲第２号証のいずれにも記載も示唆もされていない以上、それら刊行物等の記載をどのように組み合わせても、当業者が刊行物１〜４、及び甲第２号証に記載された発明に基いて容易に発明をすることができたものとはいえない。
　
５．特許異議の申立てについてのむすび
　以上のとおり、本件発明は、刊行物１〜４、及び甲第２号証に記載された発明に基いて容易に発明をすることができたものとはいえないので、本件特許は特許法第２９条第２項の規定に違反されてなされたものではない。
    　
IV．むすび
　以上のとおりであるから、特許異議の申立ての理由によっては本件発明についての特許を取り消すことができない。
　また、他に本件発明についての特許を取り消すべき理由を発見しない。
　よって、結論のとおり決定する。
【異議決定日】
平成１３年７月２３日（２００１．７．２３）
【訂正の要旨】
（１）訂正事項ａ
　特許第３０６７６３８号の願書に添付された明細書（以下、「特許明細書」という。）の特許請求の範囲を、
「【請求項１】皿状の座金部と筒状のナット部とが一体に形成され、径方向の略中央にネジ溝を有するボルト挿通孔が設けられ、座金部の底壁外側に切刃を有し、座金部のボルト挿通孔の上端側に多角形状の周囲壁が設けられ、該周囲壁と座金の径方向端部との間に工具が嵌合可能な空隙が形成されていることを特徴とする埋込み座金一体型ナット。
　【請求項２】周囲壁上端と座金部の周縁上端とが略同じ高さに形成されている請求項１記載の埋込み座金一体型ナット。」から、特許請求の範囲の減縮を目的として、
「【請求項１】皿状の座金部と筒状のナット部とが一体に形成され、径方向の略中央にネジ溝を有するボルト挿通孔が設けられ、座金部の底壁外側に切刃を有し、座金部のボルト挿通孔の上端側に多角形状の周囲壁が設けられ、該周囲壁と座金の径方向端部との間に工具が嵌合可能な空隙が形成され、周囲壁上端と座金部の周縁上端とが略同じ高さに形成されていることを特徴とする埋込み座金一体型ナット。」と訂正する。
（２）訂正事項ｂ
　特許明細書の段落【００１２】を、
「【００１２】【課題を解決するための手段】本発明は、（１）皿状の座金部と筒状のナット部とが一体に形成され、径方向の略中央にネジ溝を有するボルト挿通孔が設けられ、座金部の底壁外側に切刃を有し、座金部のボルト挿通孔の上端側に多角形状の周囲壁が設けられ、該周囲壁と座金の径方向端部との間に工具が嵌合可能な空隙が形成されていることを特徴とする埋込み座金一体型ナット、（２）周囲壁上端と座金部の周縁上端とが略同じ高さに形成されている上記（１）記載の埋込み座金一体型ナットを要旨とするものである。」から、明りょうでない記載の釈明を目的として、
「【００１２】【課題を解決するための手段】本発明は、（１）皿状の座金部と筒状のナット部とが一体に形成され、径方向の略中央にネジ溝を有するボルト挿通孔が設けられ、座金部の底壁外側に切刃を有し、座金部のボルト挿通孔の上端側に多角形状の周囲壁が設けられ、該周囲壁と座金の径方向端部との間に工具が嵌合可能な空隙が形成され、周囲壁上端と座金部の周縁上端とが略同じ高さに形成されていることを特徴とする埋込み座金一体型ナットを要旨とするものである。」と訂正する。
（３）訂正事項ｃ
　特許明細書の段落番号【００１５】を、
「【００１５】また、本発明ナットは、座金部２の上面は、座金部２の周縁８上端の高さが、上記周囲壁５の上端の高さと同じ高さとなるように形成するのが好ましい。また同図２に示す例では空隙６が形成されているが、この凹溝の深さと幅は、ボックスレンチ等の工具が嵌合可能な大きさであればよい。また、図７は本発明のナットの他の例を示す断面図であるが、座金部２の上面は同図に示すように必ずしも周囲壁５と座金端部とを面一にせずに、周囲壁５のみが上方に突出するようにし該周囲壁の外方の周縁８までを平坦に形成しても、又、周囲壁よりも座金端部が高くなるようにしてもよいが、図２に示すように面一又は略面一に形成するのが好ましい。本発明ナットは、周囲壁と座金端部とを略同じ高さに形成した場合、該ナットの座金部の端部が完全に埋め込まれた時点で表面が略平らになるため埋込みを容易かつ確実に行うことができる。」から、明りょうでない記載の釈明を目的として、
「【００１５】また、本発明ナットは、座金部２の上面は、座金部２の周縁８上端の高さが、上記周囲壁５の上端の高さと略同じ高さとなるように形成して、座金部２の上面は周囲壁５と座金端部とが、図２に示すように面一又は略面一になるように形成される。また同図２に示す例では空隙６が形成されているが、この凹溝の深さと幅は、ボックスレンチ等の工具が嵌合可能な大きさであればよい。本発明ナットは、周囲壁と座金端部とを略同じ高さに形成した場合、該ナットの座金部の端部が完全に埋め込まれた時点で表面が略平らになるため埋込みを容易かつ確実に行うことができる。」と訂正する。
（４）訂正事項ｄ
　特許明細書の図面の簡単な説明の【図７】を、
「【図７】本発明の埋込み座金一体型ナットの他の例を示す断面図である。」から、明りょうでない記載の釈明を目的として、
「【図７】埋込み座金一体型ナットの参考例を示す断面図である。」と訂正する。
（５４）【発明の名称】
埋込み座金一体型ナット
（５７）【特許請求の範囲】
　【請求項１】　皿状の座金部と筒状のナット部とが一体に形成され、径方向の略中央にネジ溝を有するボルト挿通孔が設けられ、座金部の底壁外側に切刃を有し、座金部のボルト挿通孔の上端側に多角形状の周囲壁が設けられ、該周囲壁と座金の径方向端部との間に工具が嵌合可能な空隙が形成され
、周囲壁上端と座金部の周縁上端とが略同じ高さに形成され
【発明の詳細な説明】
　【０００１】
　【発明の属する技術分野】
　本発明は、建築において２部材以上を締結するためのボルトの締め付けに用いられるナットに関し、座金とナットが一体に形成され、部材中に埋込まれ該部材表面を面一に形成可能な、埋込み座金一体型ナットに関するものである。
　【０００２】
　【従来の技術】
　建築物において２部材以上を締結するために各種ボルトが使用されている。例えば１例として、建築物の布基礎と土台とを接合するのに、アンカーボルトが用いられている。アンカーボルトは、生コンクリートを布基礎に打設後、コンクリートが固まらないうちに植え込まれ、布基礎に固定される。固定されたアンカーボルトの布基礎から突出する部分が土台内部のアンカーボルト挿通孔を通り、該ボルト先端に設けられたネジ部にナットを螺合してボルトを締結し、土台が布基礎に固定される。
　【０００３】
　アンカーボルトは、先端のネジ部が土台上面から突出するように植え込み、土台から突出した部分に座金を挿通しナットで締め付ける場合もあるが、アンカーボルトの先端が土台上面と面一となるように施工する場合がある。建築物の施工において、土台上面からアンカーボルトの先端が突出しないように、土台上面とアンカーボルトの先端とを面一とした場合、土台上面に他の部材が直接乗る２×４工法、及び軸組み工法における床パネル形成等の際、土台上面においてアンカーボルトが突出していない為、ボルトの先端が邪魔にならず作業効率がきわめて優れるといった利点がある。
　【０００４】
　従来、このように土台上面とアンカーボルトの先端とを面一とする場合は、ナットの上面もアンカーボルト先端と同様に土台表面と面一となるように、土台のアンカーボルト挿通孔の上端部の周囲に、ナットが嵌め込まれて収納される凹部を予め穿設する、いわゆる座堀りが行われていた。
　【０００５】
　しかしながら、座堀りを行うことは、作業自体が煩わしく、また土台の欠損を招くなどの不具合が生じてしまうことがある。このように土台に欠損があると、アンカーボルトへのナットの締め付けが充分になされなかったり、土台の上面への床張り等に支障を来してしまう。そこで、本出願人は、このような問題を解決するために、筒状ナット付き埋め込み座金を用いることで上記問題を解決できることを見出して、該筒状ナット付き埋め込み座金を先に出願している（実開平２−６０２７８号公報）。
　【０００６】
　上記公報に記載の筒状ナット付き埋込み座金８０は、図８（ａ）に示すように、座金８１と筒状ナット８２により構成され、上記座金８１には浅い皿状凹部８３が形成され、該凹部８３の底面に６角形の貫通穴８４が設けられ、該貫通孔８４に筒状ナット８２を上から挿通して、図８（ｂ）に示す状態で用いられる。また、上記筒状ナット８２は、同図（ｂ）に示すように、ネジ溝が設けられた貫通孔８７を有し、該貫通孔８７の上端側に８同図（ａ）に示すように六角レンチを挿入可能な六角形状凹部８６が穿たれている。上記埋め込み座金８０は、筒状ナットの下端をアンカーボルトの上端に差し込んで、貫通孔８７をボルトに螺合して、筒状ナット及び座金部が土台内に埋没するまで回動することで、切刃Ｆにより座金が埋め困れ流凹部が形成され、土台と布基礎とを結合することができる。
　【０００７】
　また、図９（ａ）に示すように、上記の筒状ナットと座金とを予め一体に形成して座金９２とナット部９１とを有するナット一体型座金９０が公知である。このナット一体型座金９０は、同図（ｂ）に示すように挿通孔９７の上端に六角形状凹部９６が穿たれ、ナット部９１と座金部９２とが一体に形成されているため、図８に示すナットと座金とが別体に形成されたものと比較して、アンカーボルトと緊結する際、筒状ナットを座金に嵌め込む手間が省けるといった利点がある。
　【０００８】
　【発明が解決しようとする課題】
　しかしながら、上記従来の、筒状ナットを座金に嵌め込んで用いられる埋込み座金８０、及びナット一体型埋込み座金９０のいずれも、ボルトを挿通する貫通孔８７、９７の上端側に設けられている六角形状凹部８６、９６に六角レンチを挿入してナットを回動させ、アンカーボルトを緊結するように形成されていたため、以下の種々の不具合があった。
　【０００９】
　上記従来の座金を用いる場合、アンカーボルトを布基礎に埋め込む際に、アンカーボルト上端が土台の上面よりも若干低い位置となるようにする必要がある。すなわち、アンカーボルトは、座金の六角形状凹部のレンチ挿入用の長さだけ、土台の上面よりも低く埋め込まれる。アンカーボルトには所定の長さの位置に印が付けられており、一定深さに埋め込まれるように形成されているが、アンカーボルトが正確な位置からずれて埋め込まれてしまうことが多々ある。特にボルトの上端が所定の位置より上になってしまった場合、アンカーボルトが六角形状凹部のレンチとぶつかってしまい凹部から六角レンチが外れ、ナットの締め付けが不可能となる。従って、アンカーボルトの施工ミス等により、アンカーボルトの位置がずれると、土台表面と座金の上面を面一に形成することができなくなってしまう。
　【００１０】
　更に、締め付けに用いる六角レンチは、建築用工具としては特殊工具の部類に入り、一々工具を準備する必要がある。また、六角レンチはスパナやボックスレンチ等と比較した場合に、ナットの締め付け力が小さく、締め付けに手間がかかる等の問題があった。
　【００１１】
　本発明は上記従来技術の欠点を解決するためのものであり、アンカーボルトが施工ミス等により所定の位置よりも上方に埋設されて施工された場合でも、ナットの締め付けが可能であり、又、締め付けに汎用工具が使用でき、締め付けが容易であり作業効率の優れた、埋込み座金一体型ナットを提供することを目的とする。
　【００１２】
　【課題を解決するための手段】
　本発明は、（１）皿状の座金部と筒状のナット部とが一体に形成され、径方向の略中央にネジ溝を有するボルト挿通孔が設けられ、座金部の底壁外側に切刃を有し、座金部のボルト挿通孔の上端側に多角形状の周囲壁が設けられ、該周囲壁と座金の径方向端部との間に工具が嵌合可能な空隙が形成され
、周囲壁上端と座金部の周縁上端とが略同じ高さに形成され
　【００１３】
　【発明の実施の形態】
　以下、本発明を図面を用いて詳細に説明する。図１に示すように本発明の埋め込み座金一体型ナット（以下、単にナットと略記する場合もある）１は、円形の皿状に形成された座金部２と、該座金部２と一体に形成されている筒状のナット部３とから構成され、図２に示すように上記座金部２とナット部３の径方向の略中央に上下方向に貫通するボルト挿通孔４が設けられ、該ボルト挿通孔４の内部にはアンカーボルトと螺合するネジ溝が切られている。尚、上記ボルト挿通孔４内部のアンカーボルトのネジ溝は内部の上端から下端まで全部に設けられていなくてもよく、要はボルトを締結するのに十分なネジ溝があればよい。
　【００１４】
　座金部２には図３に示すように、ボルト挿通孔４の上端側周囲に６角形ナット状の周囲壁５が設けられ、該周囲壁５の径方向外方周囲に、空隙６が設けられている。この空隙６は図４に示すように、周囲壁に外側嵌合してナットを回動可能な工具を嵌め込み可能なスペースを有するものである。また、座金部２の底壁面外側には、切刃７（７ａ、７ｂ、７ｃ）が設けられている。本発明ナットにおいて、座金部２の上面に設けられる周囲壁５は、六角形に限定されず多角形状であり、壁の外側から工具を嵌合可能な形状であれば、三角形、四角形、五角形、八角形等の形状に形成することができるが、汎用工具が利用できる点からは、六角形状が最も好ましい。
　【００１５】
　また、本発明ナットは、座金部２の上面は、座金部２の周縁８上端の高さが、上記周囲壁５の上端の高さと
略同じ高さとなるように形成して、座金部２の上面は周囲壁５と座金端部とが、図２に示すように面一又は略面一になるように形成される。
　【００１６】
　上記座金部２は、特に円形の皿状に限定されず、他の形状にも形成可能であるが、その目的（部材中に埋設されることや、その際に回動して部材を切削していく点等）に鑑みれば、上記形状がもっとも好ましい。また座金部２の大きさも特に限定されず、使用されるアンカーボルトのボルト直径等に応じて適宜決めることができる。
　【００１７】
　ナット部３のボルト挿通孔４は、図２に示すように、ナット部３の下端の挿通孔内部の周囲を面取りして、テーパー部９を設けるのが好ましい。テーパー部９を設けることで、ナット１がアンカーボルトの先端に容易に挿入される。すなわち、アンカーボルトが、若干曲がって布基礎に埋設されてしまった際、テーパー部が無い場合にはナットが斜めに挿入されてネジ山をつぶしてしまう虞れがあるが、テーパー部９によってボルト先端がボルト挿通孔４の内部に入り易くなるため、アンカーボルトが土台のボルト挿通穴の内部で偏芯した状態であっても、ナットをアンカーボルトにスムーズに挿入可能であり、ナット締め付けを確実に行うことができる。
　【００１８】
　また、ナット部３の外側形状は、図７に示すように座金部２との境界から下端までの太さが同一となるように形成してもよいが、図２に示すように、座金部２との境界の太さに対し下端の太さが細くなるように、先細状態に形成してもよい。このように形成した場合、土台のアンカーボルト挿通孔への挿入が更に容易に行える。
　【００１９】
　切刃７は、皿状の底面の外側のナット部との接合部付近から径方向の外方に向けて設けられる。該切刃７は座金部２が回動する際に土台のボルト挿通孔の周囲を自ら切削して座金部２が嵌合するための、椀状の凹部を形成するために設けられている。切刃の数は、図１に示す態様では３枚設けられているが本発明のナット１において特にこれに限定されるものではなく、１枚であってもよいし、また２枚、４枚の偶数でもよいし、５枚以上であってもよい。本発明ナットにおいて切刃７は複数設けるのが望ましく、その場合、切刃７どうしの間隔が等距離となるように設けるのが好ましい。
　【００２０】
　また、切刃７は、図４に示すようにナット部３の付け根の部分から座金部２の径方向の外方に向かう連続した状態に形成してもよいが、非連続状に形成してもよい。また、切刃７は図４に示すように、座金部３の外周縁部１１を残して形成するのが好ましい。外周縁部１１を残して切刃７を設けることで、座金部３が土台を切削していく場合に生じる土台の削り屑が、切刃のない外周縁部１１から逃げることができるため、スムーズなナットの締め付けが行える。更に土台にささくれが出にくく締め付け後の外観が良好である。
　【００２１】
　本発明の埋込み座金一体型ナット１は、座金部２とナット部３とをはじめから一体に形成する方法と、別体で形成したものを接合してもいずれでもよい。上記前者の場合、例えば埋込み座金一体型ナット１の形状に対応した所定形状に形成した鋳型等に、溶解した鋳鉄原料を流し込むことで製造できる。又、後者の場合は、図１０に示すようにナット部材１０と座金部材２０とを、それぞれ鍛造又は鋳造等で別々に形成した部材どうしを固定して一体化することができる。
　【００２２】
　図１０に示す埋込み座金一体型ナットは、断面六角形状の筒状のナット部３と該ナット部よりもやや径が大きく鍔状に形成された周囲壁５とが一体に形成されたナット部材１０と、浅い皿状の凹部を有し該凹部の底面に上記ナット部３の大きさに対応した六角形の貫通穴が設けられた座金部材２０を別々に製造し、該貫通孔にナット部材１０を上から挿通して、カシメ用突起１８（１８ａ、１８ｂ、１８ｃ）とカシメ用爪１９（１９ａ、１９ｂ、１９ｃ）を用いてナット部材１０を皿状の座金部材２０に固定一体化されている。
　【００２３】
　図１１は図１に示すナットの上面図であるが、同図に示すように、カシメ用爪（１９ａ、１９ｂ、１９ｃ）は座金部材２０に等間隔に３個設けられている。一方ナット部材１０には図１２に示すように、テーパーのない断面６角形の筒形に形成され、上記カシメ用爪に対応する位置にカシメ用突起１８ａ、１８ｂ、１８ｃが設けられている。カシメはナット部材１０に設けられた突起１８にカシメ用爪１９を押圧して行う。断面６角形のナット部材が座金部材の６角形の貫通孔に嵌合してように挿通するため、ナットを回動させた場合に座金も同時に回動することがなく、また、ナット部材の鍔部により該ナット部材が貫通孔から抜け落ちたりすることが防止され、締め付けを確実に行える。
　【００２４】
　尚、上記料部材の一体化は、かならずしも強固に結合させる必要はない。即ち、埋込み座金一体型ナットを運搬、保管及び使用の際に外れない程度に、ナット部と座金部とが一体になっていれば良い。
　【００２５】
　このように、本発明埋込み座金一体型ナット１を、ナット部材と座金部材とを別別に製造して、両者をカシメて一体化した場合、製造が容易であり安価に提供することができる。また、カシメ以外にも溶接などにより上記部材の接合一体化を行ってもよい。
　【００２６】
　また、本発明の埋込み座金一体型ナットは、その寸法等は特に限定されず、目的とするアンカーボルトの太さ等に応じて適宜製造することができる。図１に示す形状のナットの寸法の１例を以下に示す。座金部の上面の外側直径が４５ｍｍ、皿状の厚みが１０ｍｍ、筒状のナット部の長さ（座金部との付け根から先端まで）が２０ｍｍ、ナット部の下端部の直径が１６ｍｍ、同部の座金部の付け根の部分の直径が１８ｍｍ、ボルト挿通孔の直径が１２ｍｍ（ネジ径）とし、座金部の上面側の周囲壁をＭ１９の６角形状ナットとし、該周囲壁の周辺外方の直径３０．３ｍｍまでを空隙とし、この空隙にはＭ１９のインパクトレンチのソケットを挿入可能としている。また、座金部の底壁面外側には図４に示す形状に周縁１．５ｍｍを残して断面△形状の高さ３ｍｍの切刃を３枚等間隔に設ける。
　【００２７】
　以下、本発明の埋込み座金一体型ナット１の使用例を説明する。図５に示すように、布基礎１２に予めアンカーボルト１３を埋設しておいて、更にその上にアンカーボルト用貫通孔１４を形成しておいた土台１５を載置して、本発明ナット１を土台上面の貫通孔１４の開口部から挿入し、アンカーボルト１３に螺合させる。ナットの螺合にはボックスレンチ１６等を装着した電動工具１７を使用することができる。図６に示すように、本発明ナット１のボルト挿入孔４の周囲壁５外方の空隙６にレンチ１６の先端を挿入し回動させて、該ナット１をボルト１３に螺合させると、座金底壁に設けた切刃が土台１５の貫通孔１４の周囲を切削して座金部が埋設される。そして、座金の上端が土台１５の表面に達した時点で、完全に埋込み座金一体型ナットは土台内に完全に埋設５され、土台の表面に座金やナットが表出しない。
　通常ボックスレンチ等の工具は、中央に空隙が形成されているため、仮にアンカーボルト１３の上端が所定位置よりも上方に位置してしまった場合でも、アンカーボルトはボックスレンチの使用の邪魔にはならない。また、工具として上記したボックスレンチ以外にも、メガネレンチ、ラチェットレンチ、スパナ、モンキースパナ等の汎用工具が利用できる。
　【００２８】
　以上は本発明の埋込み座金一体型ナットをアンカーボルトのナットとして使用する場合を例として説明したが、本発明の埋込み座金一体型ナットはアンカーボルトの締結に限定されず、羽子板ボルト、六角ボルトなどで複数の部材を締結する場合に用いることができる。特に、従来、座掘りを行って部材中に座金を埋込んでいた部位に、本発明埋込み座金一体型ナットは最適に利用できる。
　【００２９】
　【発明の効果】
　以上説明したように本発明の埋込み座金一体型ナットは、皿状の座金部と筒状のナット部とが一体に形成され、径方向の略中央にネジ溝を有するボルト挿通孔が設けられ、座金部の底壁外側に切刃を有し座金部のボルト挿通孔の上端側に多角形状の周囲壁が設けられ、該周囲壁と座金の径方向端部との間に工具が嵌合可能な空隙が形成されている構成を採用したことにより、周囲壁の外方から締め付け工具を嵌合してナットを回動させることができるため、従来の工具取付け部分がボルト挿通孔上方に六角形状凹溝として形成された座金一体型ナットと比較して、アンカーボルトの埋設位置が所定位置よりも上方に位置した場合であっても、ナットの締め付けが可能であり、座金部を部材に完全に埋設することができる。
　【００３０】
　また本発明の埋込み座金一体型ナットは、ソケットレンチやスパナ等の汎用工具が使用できるため、特殊な工具を準備する必要がない。また、これらの工具は締め付け力が大きいため、ナットの締め付けの作業性に優れる。
【図面の簡単な説明】
　【図１】
　本発明の埋込み座金一体型ナットの１例の外観を示す斜視図である。
　【図２】
　図１のＩＩ−ＩＩ線縦断面図である。
　【図３】
　図１の平面図である。
　【図４】
　図１の底面図である。
　【図５】
　本発明の埋込み座金一体型ナットの使用方法を説明するための図である。
　【図６】
　図５の要部断面図である。
　【図７】
　
埋込み座金一体型ナットの参考例を示す断面図である。
　【図８】
　従来のナットと座金の１例を示し、（ａ）は分解斜視図であり、（ｂ）は（ａ）を組み立てた状態を示す下方側から見た斜視図である。
　【図９】
　従来のナット一体型座金の１例を示し、（ａ）は上方側から見た斜視図であり、（ｂ）は（ａ）を下方側から見た斜視図である。
　【図１０】
　本発明の埋込み座金一体型ナットのその他の例を示す断面図である。
　【図１１】
　図１１の埋込み座金一体型ナットの上面図である。
　【図１２】
　図１１の埋込み座金一体型ナットのナット部材の外観を示す正面図である。
　【符号の説明】
　１　埋込み座金一体型ナット
　２　座金部
　３　ナット部
　４　ボルト挿通孔
　５　周囲壁
　６　空隙部